(57)【特許請求の範囲】
【請求項１】
口頸部４を起立する容器体１と、
上記口頸部外面へ嵌合させる装着筒12から内向きフランジを介してシリンダ13を、かつ該シリンダ下端から吸上げパイプ14を、それぞれ容器体内へ垂下させ、又シリンダ内から上方付勢させて作動部材15を起立させ、該作動部材上端に設けたノズル付きヘッド17を介して作動部材を上下動させることで容器体内液体をシリンダ内へ吸上げ、かつ該シリンダ内液体を上記ノズルから噴出可能とした手動式ポンプとからなる縦形手動式ポンプ付き容器において、
上記容器体口頸部４の内面にホルダー21を設け、上記装着筒12を口頸部４から外して容器体１に対して手動式ポンプ11を引き上げた状態で、吸上げパイプ14の一部ないしシリンダ13の下部を上記ホルダー21へ係止させることで手動式ポンプを起立状態に保持させることが可能に形成した
ことを特徴とする縦形手動式ポンプ付き容器。
【請求項２】
上記ホルダー21を、口頸部内壁面から口頸部中心方向へ突出する突出板で形成して、該突出板の口頸部内方側縁部に上方からみてほぼＣ字形状をなす、シリンダないし吸上げパイプ嵌合用凹部23を穿設した
ことを特徴とする請求項１記載の縦形手動式ポンプ付き容器。
【請求項３】
上記口頸部４の上端部へ嵌合させた短筒状部28内面から口頸部内壁面に沿って吊下げ板29を垂下させ、該吊下げ板内面から口頸部中心方向へ突出させた突出板の口頸部内方側縁部に上方からみてほぼＣ字形状のシリンダないし吸上げパイプ嵌合用凹部23を穿設し、該凹部付き突出板をホルダー21としたことを特徴とする請求項１記載の縦形手動式ポンプ付き容器。
【発明の詳細な説明】
【０００１】
【発明の属する技術分野】
本発明は、縦形手動式ポンプ付き容器に関する。
【０００２】
【従来の技術】
縦形手動式ポンプ付き容器は、従来一般家庭において各種薬液ないし化粧用液噴出用として広く用いられている。
【０００３】
【発明が解決しようとする課題】
上記縦形手動式ポンプ付き容器は、容器体口頸部へ、手動式ポンプに付設された装着筒を螺合させる等しており、該ポンプは、装着筒上端に付設された内向きフランジを介して容器体内へシリンダを垂下し、該シリンダ下端から容器体内底部まで吸上げパイプを垂下し、又シリンダ内から上方付勢させて作動部材を起立させ、該作動部材を上下動させることで容器体内液体を吸上げパイプを介してシリンダ内へ、又該シリンダ内液体を作動部材上端に嵌合させたヘッドが有するノズルから噴出させることが可能に設けられているが、液体噴出によって容器体内液体が無くなると、容器体から手動式ポンプを外して容器体内へ液体を補充し、再度手動ポンプを容器体に装着させて使用している。
【０００４】
上記手動式ポンプ取外し時において、該ポンプの置き場所に困ることが多く、特に容器体内に多少液体が残っている場合は、ポンプの吸上げパイプ、ないしシリンダに容器体内液体が付着していることがあり、このような場合は周辺を汚すおそれがあった。
【０００５】
本発明は、上記装着筒を容器体口頸部から外し、手動式ポンプを容器体上方へ引き上げた状態で上記吸上げパイプないしシリンダ下部を容器体口頸部の内面に設けたホルダーに係止させて手動式ポンプを起立させることが可能に設けたものである。
【０００６】
【課題を解決するための手段】
第１の手段として、口頸部４を起立する容器体１と、
上記口頸部外面へ嵌合させる装着筒12から内向きフランジを介してシリンダ13を、かつ該シリンダ下端から吸上げパイプ14を、それぞれ容器体内へ垂下させ、又シリンダ内から上方付勢させて作動部材15を起立させ、該作動部材上端に設けたノズル付きヘッド17を介して作動部材を上下動させることで容器体内液体をシリンダ内へ吸上げ、かつ該シリンダ内液体を上記ノズルから噴出可能とした手動式ポンプとからなる縦形手動式ポンプ付き容器において、
上記容器体口頸部４の内面にホルダー21を設け、上記装着筒12を口頸部４から外して容器体１に対して手動式ポンプ11を引き上げた状態で、吸上げパイプ14の一部ないしシリンダ13の下部を上記ホルダー21へ係止させることで手動式ポンプを起立状態に保持させることが可能に形成した。
【０００７】
第２の手段として上記第１の手段を有すると共に、上記ホルダー21を、口頸部内壁面から口頸部中心方向へ突出する突出板で形成して、該突出板の口頸部内方側縁部に上方からみてほぼＣ字形状をなす、シリンダないし吸上げパイプ嵌合用凹部23を穿設した。
【０００８】
第３の手段として上記第１の手段を有すると共に、上記口頸部４の上端部へ嵌合させた短筒状部28内面から口頸部内壁面に沿って吊下げ板29を垂下させ、該吊下げ板内面から口頸部中心方向へ突出させた突出板の口頸部内方側縁部に上方からみてほぼＣ字形状のシリンダないし吸上げパイプ嵌合用凹部23を穿設し、該凹部付き突出板をホルダー21とした。
【０００９】
【発明の実施の形態】
まず従来公知の事項について簡単に説明すると、１は胴部２上端から肩部３を介して口頸部４を起立する容器体である。その口頸部は雄ねじ筒に形成されている。
【００１０】
11は上記容器体へ装着させる縦形の手動式ポンプで、該ポンプは容器体口頸部外面へ螺合させる装着筒12を有し、該装着筒上端に付設した内向きフランジからシリンダ13を垂下し、又該シリンダ下端から吸上げパイプ14を垂下する。
【００１１】
上記シリンダ内からは、上方付勢させて作動部材15を起立させており、作動部材上端に嵌合させたノズル16付きヘッド17を付勢に抗して押下げ、又上昇させることで容器体内液体をシリンダ内に吸込み、又該シリンダ内液体を上記ノズル16から噴出可能とするものである。
【００１２】
本発明にあっては、上記容器体口頸部の内面にホルダーを設けた。該ホルダーは図１から図３が示すように、又図４が示すように口頸部内面へ直接付設してもよく、図５、図６が示すように別に設けたホルダー付き部材を口頸部に嵌合させることで形成してもよい。
【００１３】
図１から図３が示す第１実施形態は、口頸部の下部内面の一部にホルダー21を付設したもので、該ホルダーは口頸部中心方向へ突出させた突出板22の口頸部内方側縁部に、上方からみてほぼＣ字形状の凹部23を穿設したものである。その凹部の内接円直径は図示例にあっては吸上げパイプ14の外径より僅かに小径としており、又凹部の開口巾は上記内接円直径より更に短かく、吸上げパイプ14をその開口部へ押付けすることで、弾性を有する合成樹脂製とした吸上げパイプが弾性変形してその開口部を通って凹部23内へ嵌合し、図１が示すようにその嵌合部分が凹部23で保持されるよう設けている。
【００１４】
図４が示す第２実施形態は、口頸部４の内面に内向きフランジ状の突出板24を付設し、該突出板の左右ないし前後対向部分に上記第１実施形態の場合と同様の凹部23、23を穿設してホルダー21を形成した例を示す。該凹部は対向位置である必要はなく、又更に数個増やしてもよい。
【００１５】
図５、図６が示す実施形態は、別に設けたホルダー付き部材25を口頸部４へ嵌合させた例を示す。該実施形態では口頸部４の上端部外面へ嵌合させた短筒26上面に内向きフランジ27を付設し、該フランジを口頸部上端面上へ載置させて短筒状部28となし、その内向きフランジ内周一部から口頸部内壁面に沿って吊下げ板29を垂下し、該吊下げ板の下端内面から口頸部中心方向へ突出板30を突出し、該突出板に第１、第２実施形態の場合と同様の凹部を設けてホルダー21としている。
【００１６】
上記各実施形態にあってはホルダーの各凹部内に吸上げパイプ14を嵌合させ、該嵌合状態を保持させることが可能に形成したが、吸上げパイプ外径よりもシリンダ下端を大外径とし、その下面へ凹部の上面内周縁部を係合させるよう設けてもよく、又シリンダ13下部を凹部23で挾持させるよう設けてもよい。尚凹部23で吸上げパイプ14を挟持するよう設けた場合は、吸上げパイプ上部を凹部23内へ嵌合させた状態から、ポンプを上方へ引上げることで、吸上げパイプ外面へ付着する液体を効果的にしごき落とすことが出来る。
【００１７】
上記構成において、容器体内へ液体補充する際は、図１および図５が示すように容器体口頸部から装着筒12を外し、図示のように手動式ポンプ11を容器体上方へ引上げ、ホルダー21の凹部23内へ吸上げパイプ14ないしシリンダ下部等を嵌合させて該引上げられた起立状態を保持させておき、パウチないし薄肉ボトルなどのレフィル容器31内の詰め替え用液体を容器体１内へ補充する。該補充後に上記吸上げパイプ14等を凹部23から外し、再度装着筒12を容器体口頸部外面へ嵌合させればよい。
【００１８】
【発明の効果】
本発明は既述構成とするものであり、請求項１記載のように構成することで、容器体内への液体補充の際、容器体上方へ手動式ポンプ11を引上げた状態で吸上げパイプ14ないしシリンダの下部を容器体口頸部内面に付設したホルダー21へ係止でき、該状態で容器体内へ液体補充できるから、該液体補充時において手動式ポンプの置き場所に困ることがない。
【００１９】
請求項２のようにすることで、容器体から手動式ポンプを引上げた状態でのホルダー21に対する吸上げパイプないしシリンダ下部の嵌合を確実とすることが出来る。
【００２０】
請求項３のようにすることで、請求項２の場合のように容器体口頸部内面に直接ホルダー21を付設させなくてもよく、ホルダー付きの短筒状部28を口頸部４の上端部へ嵌合させるだけでホルダーを形成できる便利がある。
【図面の簡単な説明】
【図１】  容器体内への液体補充状態で示す、本発明容器の説明図である  。
【図２】  図１容器体の半断面図である。
【図３】  図２容器体の平面図である。
【図４】  別実施形態で示す容器体の平面図である。
【図５】  第３実施形態で容器体内への液体補充状態を示す説明図である  。
【図６】  図５実施形態で用いている主要部材の斜視図である。
【符号の説明】
11…手動式ポンプ            12…装着筒
13…シリンダ                14…吸上げパイプ
21…ホルダー                22…突出板
23…凹部                    25…ホルダー付き部材
【図１】
0004169953.tif 000002
【図２】
0004169953.tif 000003
【図３】
0004169953.tif 000004
【図４】
0004169953.tif 000005
【図５】
0004169953.tif 000006
【図６】
0004169953.tif 000007